(57)【要約】【課題】頭巾付き雨衣や、防水帽と頭巾のない雨衣を着用して、降雨中に自転車走行や各種作業を行う場合などに、頭巾や防水帽の内側の頭部に密着させて、顔面の雨よけ等が迅速簡単容易にできる顔面雨よけ透明カバーを提供する。【解決手段】少なくとも顔前面及び側面を覆うことができ、上端１０１を頭部に密着できるように、両側端１０３に、調節バンド１１を取りつけた透明合成樹脂製薄フィルム１００であって、表面を降雨などが当接しても視界が維持でき、裏面を曇り止めができるようにした顔面雨よけ透明カバー。【選択図】    図１−１
2010065367.tif 000002
【特許請求の範囲】
【請求項１】
顔の前面及び両側面を覆うことができるようにすると共に、表面を降雨が当接しても視界が維持でき、裏面を曇り止めができるようにした透明合成樹脂フィルム１００であって、上端部１０１周縁部を頭部に密着できるように、両側端部１０３及び１０３に、ゴムバンド又はかみ合いバンド等で伸縮又は長さ調節できるようにした調節バンド１１を取りつけていることを特徴とした顔面雨よけ透明カバー。
【請求項２】
前記透明合成樹脂フィルム１００であって、上端部１０１Ｂ周縁部を頭部に密着できるように、両側端部１０３Ｂ及び１０３Ｂをテーパー状筒になるように結合していることを特徴とした顔面雨よけ透明カバー。
【請求項３】
前記透明合成樹脂フィルム１００であって、上端部１０１Ｃ周縁部を頭部に密着できるようにしたものと、前記透明合成樹脂フィルム１００の上端部１０１Ｃ周縁部に、下端部４０２周縁部を結合した椀状の帽体４０とからなることを特徴とした顔面雨よけ透明カバー。
【請求項４】
前記透明合成樹脂フィルム１００であって、両側端部１０３Ｄ及び１０３Ｄを筒状に結合したものと、対向する前記透明合成樹脂フィルム１００の上端部１０１Ｄ及び１０３Ｄに橋渡しされて両端７２及び７２を固着した１本又は複数本のヘッドバンド７０とからなり、頭に被って頭上を前記ヘッドバンド７０で支持できるようにしたことを特徴とした顔面雨よけ透明カバー。
【発明の詳細な説明】
【技術分野】
【０００１】
本発明は、自転車の雨中走行時や雨中の作業時等に、乗者又は作業者が、頭巾付きの雨衣、又は、防水帽子と頭巾のない雨衣の着用と共に、顔面頭部に装着して、顔面に当たる降雨、風雪、風塵、寒風等を回避できるようにした顔面雨よけ透明カバーに関する。
【背景技術】
【０００２】
一例を挙げると、最近、交通安全のため、自転車に乗車して雨降り時に走行するときは、雨衣の着用がすすめられている。しかしながら、雨降り時に、雨衣を着用して自転車で走行するとき、雨衣のうち、頭巾部分は、着用しても顔面や目に降雨が浸入して、前方の見通しが悪くなる、顔面から雨水が体内に浸入するなどの欠点があり、また、雨中の各種作業時などの場合も上述同様の欠点があった。
そこで、本発明者は、激しい降雨時等でも、頭巾付きの雨衣を着用しても、視界がよく、顔面から完全に降雨等を回避することができるほか、頭巾のない雨衣を着用して防水帽子を着用した場合も、顔面の降雨等の回避など容易にできる顔面雨よけ透明カバーの開発に成功した。
【先行技術文献】
【特許文献】
【０００３】
【特許文献１】特開平６−３４１００３号
【特許文献２】特開平１０−２０４７１６号
【発明の概要】
【発明が解決しようとする課題】
【０００４】
本発明は、頭巾付き雨衣を着用して降雨中自転車を走行させるとき、もしくは、雨中に各種作業を行うとき、又は、頭巾のない雨衣と防水帽子とを着用して降雨中自転車を走行させるとき、もしくは、雨中に各種作業を行うとき、顔面や目、鼻等に対する降雨よけができ、視界よく走行又は作業の安全をはかることができる顔面雨よけ透明カバーを提供するものである。
また、本発明は、雨よけ以外に雪よけ、風塵よけ、寒風よけなどにも広く利用できる顔面雨よけ透明カバーを提供するものである。
さらに、本発明は、製作容易で安価に供給できる顔面雨よけ透明カバーを提供するものである。
【課題を解決するための手段】
【０００５】
本発明顔面雨よけ透明カバーは、上記課題を達成するため、図示するように、請求項１の発明は、顔の前面及び両側面を覆うことができるようにすると共に、表面を降雨が当接しても視界が維持でき、裏面を曇り止めができるようにした透明合成樹脂フィルム１００であって、上端部１０１周縁部を頭部に密着できるように、両側端部１０３及び１０３に、ゴムバンド又はかみ合いバンド等で伸縮又は長さ調節できるようにした調節バンド１１を取りつけている顔面雨よけ透明カバー１０である。
また、本発明顔面雨よけ透明カバーは、上記課題を達成するため、図示するように、請求項２の発明は、前記透明合成樹脂フィルム１００であって、上端部１０１Ｂ周縁部を頭部に密着できるように、両側端部１０３Ｂ及び１０３Ｂをテーパー状筒になるように結合している顔面雨よけ透明カバー１０Ｂである。
また、本発明顔面雨よけ透明カバーは、上記課題を達成するため、図示するように、請求項３の発明は、前記透明合成樹脂フィルム１００であって、上端部１０１Ｃ周縁部を頭部に密着できるようにしたものと、前記透明合成樹脂フィルム１００の上端部１０１Ｃ周縁部に、下端部４０２周縁部を結合した椀状の帽体４０とからなる顔面雨よけ透明カバー１０Ｃである。
さらに、本発明顔面雨よけ透明カバーは、上記課題を達成するため、図示するように、請求項４の発明は、前記合成樹脂フィルム１００であって、両側端部１０３Ｄ及び１０３Ｄを筒状に結合したものと、対向する前記透明合成樹脂フィルム１００の上端部１０１Ｄ及び１０３Ｄに橋渡しされて両端７２及び７２を固着した１本又は複数本のヘッドバンド７０とからなり、頭に被って頭上を前記ヘッドバンド７０で支持できるようにした顔面雨よけ透明カバー１０Ｄである。
本発明において、透明合成樹脂フィルム１００は、表面を降雨が当接しても視界が維持できるようにした撥水性乃至非粘着性透明フィルム、撥水処理透明フィルム、親水性透明フィルム、親水処理透明フィルム、裏面を曇り止めができるようにした曇り止め透明フィルム、曇り止め処理透明フィルムなど公知の透明フィルムの利用はすべて含まれる。本発明における調節バンドのうちかみ合いバンドには、いわゆるマジックテープを使用したバンド、いわゆるスナップホックを使用したバンドによるもの、複数の凸バンドと複数の穴あきバンドの組み合わせによるものなど、頭まわりに合わせて長さを加減できるバンドはすべて含まれる。椀状の帽体には、頭部に被ったのち、その上に雨衣の頭巾又は防水帽子が被れるようにした通気布製、網製等の椀状の丸帽状のものが望ましい。
ヘッドバンドは、合成樹脂テープ製、布はくテープ製、網製等が使用される。
【発明の効果】
【０００６】
本発明によれば、表面（外面）を降雨が当接しても視界を確保でき、また、裏面（内面）を人体の排気や温熱等による曇り止めができる合成樹脂透明フィルムを、少なくとも顔の前面及び両側面に使用しているので、降雨時などには、前記透明フィルムに当たった降雨などにより視界が妨げられることなく、また、顔面、目、鼻等が完全に雨等を回避して雨水等が体内に流下浸入することなく、安全に走行又は作業ができる。また、その際、前記透明フィルムの顔面に対する角度が頭部まわりに自由に変えられるので、降雨等の流下又は浸入、息抜き空間の確保、カバー内面のくもり防止、顔面化粧くずれ防止等が容易にできる。
さらに、頭巾付き雨衣着用の場合や防水帽子と頭巾のない雨衣着用の場合は、本発明品はいずれも極めて薄い合成樹脂フィルムで成形できるので、頭部や顔面まわりのサイズに合わせて簡単迅速容易に着用できると共に、小さく折り畳むことができ、また、軽量に収納できる。
また、合成樹脂透明フィルムを約１００ミクロン以下の薄厚にした場合は、顔面に眼鏡を装着してもフィルムは皮膚面へ接触障害を及ぼさない特有の効果がある。
さらに、本発明品は、安価に製作できるので、交通安全用として、特に、通勤、通学用の自転車走行に大いに役立つ必需品として実用価値が高い。
【図面の簡単な説明】
【０００７】
【図１−１】本発明の実施例を示す斜視図である。
【図１−２】図１−１の別の実施例を示す斜視図である。
【図１−３】図１−２の一部拡大説明図である。
【図１−４】図１−１の使用状態説明図である。
【図１−５】図１−１の別の使用状態説明図である。
【図２−１】本発明の別の実施例を示す斜視図である。
【図２−２】図２−１の一部拡大説明図である。
【図３】本発明の別の実施例を示す斜視図である。
【図４】本発明のさらに別の実施例を示す斜視図である。
【発明を実施するための形態】
【０００８】
本発明顔面雨よけ透明カバーの最良の形態が、実施例１、実施例２、実施例３及び実施例４に記載される。
【実施例１】
【０００９】
本発明の実施例１が、図１−１、図１−２、図１−３、図１−４及び図１−５に示されている。
本発明実施例１の顔面雨よけ透明カバー１０は、約３００ミクロン以下の透明合成樹脂製薄フィルム１００とゴムバンド１１とスエットバンド１２とからなっている。
ＥＴＦＥ等の透明合成樹脂製薄フィルム１００は、撥水性フィルムのため表面（外面）が降雨が当接しても視界が維持でき、また、裏面（内面）は、人体の排気や温熱等による曇り止めができるものである。
前記透明薄フィルム１００の各側端部１０３及び１０３の各外面には、ゴムバンド製の調節バンド１１の両端がそれぞれ結合している。
また、前記透明薄フィルム１００の上端部１０１周縁内面には、汗とりと頭まわりに密着できるようにした布製のスエットバンド１２が固着している。
前記透明合成樹脂薄製フィルム１００の下端部１０２及び両側端部１０３及び１０３の全部又は一部に、図１−２及び図１−３に示すように、柔軟な合成樹脂製の断面コ字状の縁材６０を挿入して糸５１で前記透明薄フィルム１００に縁材６０が脱落しないように巻き縫いによる縁縫５０により、合成樹脂フィルムの種類により、薄フィルム１００に対し、皮膚面の保護をすると共に商品の美感と使用者に対する安心感の賦与及び重量の賦与を行う場合もある。
従って、降雨時に、図１−４及び図１−５に示すように、頭巾２１付きの雨衣２０、又は、防水帽３０と頭巾２１を除いた又は頭巾のない雨衣２０Ｂを着用して自転車に乗車し走行する場合などには、前記透明合成樹脂製薄フィルム１００の上部を頭部に密着させると共に、透明合成樹脂製薄フィルム１００と顔面との間の角度を調節したのち、頭巾２０又は帽子３０を被れば、降雨などは顔面に浸入せず雨衣２０の上衣部分２２に流れ、視界は極めてよく、交通や作業の安全に役立つ。
【実施例２】
【００１０】
本発明の実施例２が、図２−１及び図２−２に示されている。
本発明実施例２の顔面雨よけ透明カバー１０Ｂは、透明合成樹脂製薄フィルム１００であって、上端１０１Ｂ周縁部を頭部に密着できるように、両側端部１０３Ｂ及び１０３Ｂをテーパー筒状に結合させている。
また、透明合成樹脂薄製フィルム１００の下端部１０２Ｂ及び両側端部１０３Ｂ及び１０３Ｂは、図２−１及び図２−２に示すように、縫糸５１Ｂによる縁縫５０Ｂが形成されて皮膚面の接触保護とカバーの美感と使用者に対する安心感の賦与をはかる場合がある。
【実施例３】
【００１１】
本発明の実施例３が、図３に示されている。
本発明実施例３の顔面雨よけ透明カバー１０Ｃは、椀状の帽体４０とこれに結合した透明合成樹脂製薄フィルム１００とからなっている。
透明薄フィルム１００は、実施例１の場合とほぼ同じもので（調節バンド１１は必ずしも必要でない）、上端部１０１Ｃ内面は、帽体４０内面の汗とり兼頭当てバンド４２に相当する帽体４０の外面位置に縫着することが好ましい。
従って、例えば、降雨時に、自転車に乗車して走行する際には、帽体４０を頭部に被り、薄フィルム１００と顔面との角度を調節して、その上に頭巾又は防水帽子を被れば、降雨は顔面に浸入せず、薄フィルム１００を流下して雨衣の上衣部分に流れ、視界は極めてよく、交通安全に役立つ。作業時その他の場合も同様である。
【実施例４】
【００１２】
本発明の実施例４が、図４に示されている。
本発明実施例４の顔面雨よけ透明カバー１０Ｄは、透明合成樹脂フィルム１００であって、両側端１０３Ｄ及び１０３Ｄを結合して筒状に形成したものと、対向する上縁部１０１Ｄ及び１０１Ｄに、両端７１及び７１を橋渡しし固定して形成したヘッドバンド７０とからなっているので、これを頭に被ったとき、ヘッドバンド７０により頭上を支持できるので、小児や毛髪の多い女性や老齢者でも容易に頭に装着して、頭巾や防水帽を被れることになる。
【産業上の利用可能性】
【００１３】
本発明顔面雨よけ透明カバーは、構造簡単、安価に量産でき、実用価値が大きい。
【符号の説明】
【００１４】
１００                                    透明合成樹脂製薄フィルム
１０１、１０１Ｂ、１０１Ｃ、１０１Ｄ      透明合成樹脂製薄フィルムの上端部
１０３、１０３Ｂ、１０３Ｃ、１０３Ｄ      透明合成樹脂製薄フィルムの側端部
１１、１１Ｂ、１１Ｃ                      調節バンド
４０                                      帽体
４０１                                    帽体の上端
４０２                                    帽体の下端
７０                                      ヘッドバンド
【図１−１】
2010065367.tif 000003
【図１−２】
2010065367.tif 000004
【図１−３】
2010065367.tif 000005
【図１−４】
2010065367.tif 000006
【図１−５】
2010065367.tif 000007
【図２−１】
2010065367.tif 000008
【図２−２】
2010065367.tif 000009
【図３】
2010065367.tif 000010
【図４】
2010065367.tif 000011